(57)【要約】【課題】長い使用寿命を持つヒンジ構造及び該ヒンジ構造を用いる携帯電子装置を提供することである。【解決手段】本発明に係る携帯電子装置は、本体と、蓋体と、前記本体と前記蓋体を連接することに用いられるヒンジ構造と、を備える。前記ヒンジ構造は、主動部と、弾力により前記主動部と嵌合するカム面を有する従動部と、一端が前記従動部に当接して、前記従動部のカム面を前記主動部に摺動させ、前記主動部と前記従動部を相対運動させる弾力を提供する弾性部と、を備え、前記カム面及び前記主動部の少なくとも一方に潤滑剤を収容する複数の凹溝を設置して、前記カム面及び前記主動部の接触面に潤滑層を形成させる。【選択図】図２
2009264588.tif 000002
【特許請求の範囲】
【請求項１】
主動部と、
弾力により前記主動部と嵌合するカム面を有する従動部と、
一端が前記従動部に当接して、前記従動部のカム面を前記主動部に摺動させ、前記主動部と前記従動部を相対運動させる弾力を提供する弾性部と、
を備え、前記従動部のカム面及び前記主動部の少なくとも一方に潤滑剤を収容する複数の凹溝を設置して、前記カム面及び前記主動部の接触面に潤滑層を形成させることを特徴とするヒンジ構造。
【請求項２】
前記主動部は、一端に回転止め部を有し且つ前記主動部に連接する主軸を更に備え、前記従動部及び前記弾性部が順次に前記主軸に装着されることを特徴とする請求項１に記載のヒンジ構造。
【請求項３】
前記主動部は、前記従動部のカム面と嵌合する２つの指状部を有し、且つ前記主軸と一体成形されて前記回転止め部に隣接することを特徴とする請求項２に記載のヒンジ構造。
【請求項４】
前記従動部の外周面には、少なくとも１つの突起が設けられることを特徴とする請求項１に記載のヒンジ構造。
【請求項５】
本体と、
蓋体と、
主動部と、弾力により前記主動部と嵌合するカム面を有する従動部と、一端が前記従動部に当接して、前記従動部のカム面を前記主動部に摺動させ、前記主動部と前記従動部を相対運動させる弾力を提供する弾性部と、を備え、且つ前記本体と前記蓋体を連接することに用いられるヒンジ構造と、
を備え、前記従動部のカム面及び前記主動部の少なくとも一方に潤滑剤を収容する複数の凹溝を設置して、前記カム面及び前記主動部の接触面に潤滑層を形成させることを特徴とする携帯電子装置。
【発明の詳細な説明】
【技術分野】
【０００１】
本発明は、ヒンジ構造及び該ヒンジ構造を用いる携帯電子装置に係り、特に自己潤滑できるヒンジ構造及び該ヒンジ構造を用いる携帯電子装置に関するものである。
【背景技術】
【０００２】
無線通信及び情報処理技術の発展に伴い、携帯電話やＰＤＡ（ｐｅｒｓｏｎａｌ  Ｄｉｇｉｔａｌ  Ａｓｓｉｓｔａｎｔ、個人用携帯情報端末）などの携帯電子装置が次々に現れ、消費者はいつでもどこでも科学技術がもたらす利便性や快適性を享受することができる。折畳み式の携帯電子装置は、新鮮且つ精巧な構造により高い人気を博している。
【０００３】
折畳み式の携帯電子装置は、一般的にヒンジ構造を介して電子装置の蓋体と本体を連接する。従来のヒンジ構造は、一般的に主軸、従動部、主動部及びスプリングを備え、前記スプリングが、前記主軸に装着され且つ前記従動部及び前記主動部の一方と直接接触し、前記従動部及び前記主動部が、前記スプリングの弾力によって、接触したままで摺動している。このようなヒンジ構造は、前記スプリングの弾力を克服することにより、前記従動部のカム面と前記主動部のカム面とを相対運動させて蓋体と本体との開合を実現する。
【０００４】
しかし、前記ヒンジ構造において、従動部のカム面と主動部のカム面がいつも当接して滑動摩擦しているから、時間が長くなると、２つのカム面が磨耗されて、ヒンジ構造の使用寿命に悪い影響を与える。
【発明の概要】
【発明が解決しようとする課題】
【０００５】
本発明の目的は、長い使用寿命を持つヒンジ構造及び該ヒンジ構造を用いる携帯電子装置を提供することである。
【課題を解決するための手段】
【０００６】
本発明に係るヒンジ構造は、主動部と、弾力により前記主動部と嵌合するカム面を有する従動部と、一端が前記従動部に当接して、前記従動部のカム面を前記主動部に摺動させ、前記主動部と前記従動部を相対運動させる弾力を提供する弾性部と、を備える。前記従動部のカム面及び前記主動部の少なくとも一方に潤滑剤を収容する複数の凹溝を設置して、前記カム面及び前記主動部の接触面に潤滑層を形成させる。
【０００７】
本発明に係る携帯電子装置は、本体と、蓋体と、前記本体と前記蓋体を連接することに用いられるヒンジ構造と、を備える。ヒンジ構造は、主動部と、弾力により前記主動部と嵌合するカム面を有する従動部と、一端が前記従動部に当接して、前記従動部のカム面を前記主動部に摺動させ、前記主動部と前記従動部を相対運動させる弾力を提供する弾性部と、を備える。前記従動部のカム面及び前記主動部の少なくとも一方に潤滑剤を収容する複数の凹溝を設置して、前記カム面及び前記主動部の接触面に潤滑層を形成させる。
【発明の効果】
【０００８】
従来の技術と比べて、本発明に係るヒンジ構造は、前記従動部のカム面に複数の凹溝を開設して、前記凹溝に収容されている潤滑剤が、前記従動部と前記主動部の接触面に潤滑層を形成することにより、前記カム面と前記主動部の相対運動による磨耗を大きく減少し、従って前記ヒンジ構造の使用寿命を延長することができる。
【図面の簡単な説明】
【０００９】
【図１】本発明の実施形態に係るヒンジ構造の立体分解図である。
【図２】本発明の実施形態に係るヒンジ構造を別の方向からみた立体分解図である。
【図３】本発明の実施形態に係るヒンジ構造の立体組立図である。
【図４】本発明の実施形態に係るヒンジ構造を用いる携帯電子装置の立体図である。
【発明を実施するための形態】
【００１０】
図４を参照すると、本発明のヒンジ構造は、携帯電話やＰＤＡなどのように本体及び蓋体を備える折畳み式の携帯電子装置に適用する。本発明の実施形態において、ヒンジ構造を携帯電話１０に応用する。前記携帯電話１０は、本体１１、蓋体１２及び前記本体１１と前記蓋体１２を連接するヒンジ構造２０を備える。
【００１１】
図１と図２を参照すると、本発明の実施形態に係るヒンジ構造２０は、主軸２１、従動部２２、スプリング２３及び係止リング２４を備える。
【００１２】
前記主軸２１は、その両端に設けられる回転止め部２１１及びフランジ部２１３と、前記回転止め部２１１に隣接する主動部２１２と、前記主動部２１２と前記フランジ部２１３との間に位置する軸部２１６を備える。前記回転止め部２１１は、前記携帯電話１０の本体１１に装着されるために設置される。前記主動部２１２は、柱状部２１２１及び先端部２１５１を有する指状部２１５を備える。前記指状部２１５は、前記柱状部２１２１から前記主軸２１の軸方向に沿って対称的に延伸して形成される。前記軸部２１６における前記フランジ部２１３に隣接する部分は、小径軸部２１７である。
【００１３】
前記従動部２２は、一端に形成されるカム面２２２と、他端に形成される平坦端面２２３と、前記２つの端面を貫通する従動部孔２２１と、を備える柱状体である。前記カム面２２２は、対称設置される２つの凹陥部２２２１と、対称設置される２つの凸出部２２２２と、前記凹陥部２２２１と前記凸出部２２２２の間に位置する２つの斜面２２２３と、を備える。前記携帯電話１０の蓋体１２に装着されるために、前記従動部２２の外周面に縦方向に延伸する突起２２４が突設される。前記従動部２２のカム面２２２に潤滑剤を収容することに用いられる複数の凹溝２２５が開設される。
【００１４】
前記スプリング２３は、一端が前記従動部２２の平坦端面２２３に当接し、他端が前記係止リング２４に当接するコイルスプリングである。
【００１５】
図３を参照すると、組み立てる時、前記主軸２１を順次に前記従動部２２の従動部孔２２１、前記スプリング２３及び前記係止リング２４に挿入させると、前記従動部２２の平坦端面２２３が前記スプリング２３の一端に当接し、前記従動部２２のカム面２２２が前記スプリング２３の弾力によって前記指状部２１５の先端部２１５１に当接して接触状態に保持され、前記スプリング２３の他端が前記係止リング２４に当接し、前記係止リング２４が前記主軸２１のフランジ部２１３に係止される。
【００１６】
図４を一緒に参照すると、本発明のヒンジ構造２０を採用する時、前記従動部２２の突起２２４を携帯電話１０の蓋体１２に固定し、前記主軸２１の回転止め部２１１を携帯電話１０の本体１１に固定する。蓋体１２が完全に閉まる時、前記指状部２１５の先端部２１５１が前記従動部２２の凹陥部２２２１に嵌合し、且つ前記スプリング２３の弾力によって安定状態に保持される。
【００１７】
前記蓋体１２を開ける時、前記蓋体１２が外力によって回転して前記従動部２２を連動させるとともに、前記主軸２１の主動部２１２が前記従動部２２に対して回転し、前記指状部２１５が前記カム面２２２の斜面２２２３に沿って滑動し、前記従動部２２が前記主軸２０に対して回転しながら軸方向に移動して前記スプリング４２３を圧縮する。前記指状部２１５の先端部２１５１が、前記カム面２２２の斜面２２２３から前記凸出部２２２２を滑る時、前記スプリング２３が圧縮されて最も短くなり、弾力も一番大きくなり、不安定な状態になる。前記蓋体１２に力を加え続けると、前記主動部２１２の指状部２１５が前記凸出部２２２２を乗り越える。それから前記蓋体１２から手を離すと、前記指状部２１５が前記スプリング２３の弾力によって前記従動部２２のもう１つの斜面２２２３に沿って迅速に滑動し、前記蓋体１２が前記携帯電話１０の本体１１に止められて再び安定状態に戻り、前記蓋体１２が完全に開けられる。前記蓋体１２を閉じる時、前記指状部２１５の行程は、前記蓋体１２を開ける時と相反する。
【００１８】
前記携帯電話１０を開けるか又は閉じる全過程において、前記ヒンジ構造２０のカム面２２２と指状部２１５とがお互いに当接しているから、前記カム面２２２と前記指状部２１５の相対回転によって、前記凹溝２２５に収容されている潤滑剤が前記従動部２２と前記指状部２１５の接触面に潤滑層を形成して、前記カム面２２２と前記指状部２１５の相対運動による磨耗を大きく減少し、従って前記ヒンジ構造２０の使用寿命を延長することができる。
【００１９】
本発明のヒンジ構造２０の主動部２１２は、前記主軸２１と一体成型されなく、軸孔及びカム面又は指状部を有する別の部品としてもよい。従って、前記凹溝２２５は、前記主動部の前記従動部２２と嵌合するカム面又は指状部に設置されてもよい。
【００２０】
前記スプリングは、弾性海綿のような他の弾性部であることができる。
【００２１】
前記係止リング２４を省略して前記スプリング２３を直接に前記主軸２１のフランジ部
２１３に当接させることができる。
【００２２】
前記従動部２２に複数の突起２２４を設置し、且つ前記携帯電話１０の本体１２にも相応の数量の凹部を設置することができる。なお、前記突起２２４の代わりに、回転止め溝を設置することができる。
【００２３】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２４】
１０  携帯電話
１１  本体
１２  蓋体
２０  ヒンジ構造
２１  主軸
２１１  回転止め部
２１２  主動部
２１２１  柱状部
２１３  フランジ部
２１５  指状部
２１５１  先端部
２１６  軸部
２１７  小径軸部
２２  従動部
２２１  従動部孔
２２２  カム面
２２２１  凹陥部
２２２２  凸出部
２２２３  斜面
２２３  平坦端面
２２４  突起
２２５  凹溝
２３  スプリング
２４  係止リング
【図１】
2009264588.tif 000003
【図２】
2009264588.tif 000004
【図３】
2009264588.tif 000005
【図４】
2009264588.tif 000006